(57)【特許請求の範囲】
【請求項１】
食品を載せる載置部と、上記載置部のまわりに設けられる本体フランジ部と、を有する容器本体と、
上記載置部の上方に配置される天井部と、上記本体フランジ部に取り付けられる蓋フランジ部と、を有していて透明に構成された蓋体と、
を備えた、巻きずし又はロールケーキ用の包装用容器であって、
上記載置部と上記天井部とは、平面視で周縁が矩形型の面として形成され、さらに上記周縁の一方の短辺側から他方の短辺側へ低くなる斜面として形成されており、
上記蓋体が上記天井部の上記周縁から下方へ延びて上記食品を囲う側面部をさらに備えて、上記蓋フランジ部は上記側面部の下端から外側に延びており、
上記載置部の上記周縁の一方の短辺側から外側に設けられた上記本体フランジ部を、上記載置部の斜面を延長させた位置より下方で更に上記載置部の上記周縁の一方の短辺側と距離を置いて配置していることを特徴とする、包装用容器。
【請求項２】
上記載置部の上記周縁の一方の短辺側は、少なくとも一部が上記載置部の上記周縁の一方の短辺側から外側に設けられた上記本体フランジ部より高い位置に配置されていることを特徴とする、請求項１に記載の包装用容器。
【請求項３】
上記載置部は、上記載置部の上記周縁の他方の短辺側に隣接して上方へ突き出た突出部を備えたことを特徴とする、請求項１又は請求項２に記載の包装用容器。
【請求項４】
さらに、平坦面に着地して上記載置部を上記平坦面の上方に保持する脚部を備えたことを特徴とする、請求項１から請求項３の何れかに記載の包装用容器。
【請求項５】
上記載置部は、上記突出部に隣接する部分が水平な面として形成されていることを特徴とする、請求項３に記載の包装用容器。
【請求項６】
上記蓋体の上記側面部は上記天井部の上記周縁の一方の短辺側につながる一側面を有し、
上記一側面では、全高の５分の１より低い領域が上記載置部の斜面を延長させた位置に設けられていることを特徴とする、請求項１から請求項５の何れかに記載の包装用容器。
【請求項７】
食品を載せる載置部を有する容器本体と、上記容器本体に取り付けられて上記載置部の上方に配置される天井部を有していて透明に構成された蓋体と、を備えており、
上記載置部と上記天井部とが、平面視で周縁が矩形型の面として形成され、さらに上記周縁の一方の短辺側から他方の短辺側へ低くなる斜面として形成された包装用容器の使用方法であって、
上記載置部の高い側に一方の端部を配置すると共に上記載置部の低い側に他方の端部を配置するように恵方巻きを上記載置部に載せて、
上記天井部の上記周縁の一方の短辺側につながる上記蓋体の一側面側で上記恵方巻きの上記一方の端部の切り口の全体が見えるように上記蓋体を上記容器本体に取り付けることを特徴とする、包装用容器の使用方法。
【発明の詳細な説明】
【技術分野】
【０００１】
本発明はプラスチック製の包装用容器に関する。
【背景技術】
【０００２】
巻きずしなどの食品は、商品性を顧客にアピールするために、食品の全体が見えるよう包装用容器に入れられることが望ましい。従来の食品用の容器は、食品を載せる皿型の浅い容器本体と、容器本体に取り付けられて食品に被さる帽子型の蓋体と、を備えていて、容器本体と蓋体とが透明に構成されている。この包装用容器によれば、食品は外観が蓋体を通して見えるように包装される。
【０００３】
さらに、巻きずし用として、図１１に示す包装用容器２００では、容器本体２１０が食品を載せる載置部２１１を傾斜して構成されていて、巻きずし１００の切り口１１０が見易い高い位置に保持される。
【０００４】
食品を載せる面を傾斜させた包装用容器が特許文献１に開示されている。
【先行技術文献】
【特許文献】
【０００５】
【特許文献１】意匠登録第１３８５２１５号公報
【発明の概要】
【発明が解決しようとする課題】
【０００６】
従来の容器本体２１０では、図１１に示すように、矢印Ｘ方向に内側を見ると、載置部２１１の前側が蓋体２２０を取り付けるフランジ部２１２で隠れてしまうので、蓋体２２０を通して巻きずし１００の切り口１１０の全体を見ることができないおそれがある。これでは巻きずし１００の具材などの商品性を十分にアピールすることができない。
【０００７】
本発明は、食品を見栄えよく包装することができるプラスチック製の包装用容器と、包装用容器の使用方法とを提供することを目的とする。
【課題を解決するための手段】
【０００８】
本発明は、食品を載せる載置部と、上記載置部のまわりに設けられる本体フランジ部と、を有する容器本体と、上記載置部の上方に配置される天井部と、上記本体フランジ部に取り付けられる蓋フランジ部と、を有していて透明に構成された蓋体と、を備えた、巻きずし又はロールケーキ用の包装用容器である。上記載置部と上記天井部とは、平面視で周縁が矩形型の面として形成され、さらに周縁の一方の短辺側から他方の短辺側へ低くなる斜面として形成されている。上記蓋体が上記天井部の周縁から下方へ延びて上記食品を囲う側面部をさらに備えて、上記蓋フランジ部は上記側面部の下端から外側に延びている。上記載置部の上記周縁の一方の短辺側から外側に設けられた上記本体フランジ部を、上記載置部の斜面を延長させた位置より下方で更に上記載置部の上記周縁の一方の短辺側と距離を置いて配置している。
【０００９】
本発明は、好ましくは、上記載置部の上記周縁の一方の短辺側は、少なくとも一部が上記載置部の上記周縁の一方の短辺側から外側に設けられた上記本体フランジ部より高い位置に配置されている。
【００１０】
さらに、上記載置部は、上記載置部の上記周縁の他方の短辺側に隣接して上方へ突き出た突出部を備えることが望ましい。本発明は、好ましくは、上記蓋体の上記側面部は上記天井部の上記周縁の一方の短辺側につながる一側面を有し、上記一側面は、全高の５分の１より低い領域を上記載置部の斜面を延長させた位置に設けている。
また、本発明は、食品を載せる載置部を有する容器本体と、上記容器本体に取り付けられて上記載置部の上方に配置される天井部を有していて透明に構成された蓋体と、を備えており、上記載置部と上記天井部とが、平面視で周縁が矩形型の面として形成され、さらに上記周縁の一方の短辺側から他方の短辺側へ低くなる斜面として形成された包装用容器の使用方法である。包装用容器の使用方法では、上記載置部の高い側に一方の端部を配置すると共に上記載置部の低い側に他方の端部を配置するように恵方巻きを上記載置部に載せて、上記天井部の上記周縁の一方の短辺側につながる上記蓋体の一側面側で上記恵方巻きの上記一方の端部の切り口の全体が見えるように上記蓋体を上記容器本体に取り付ける。
【発明の効果】
【００１１】
本発明によれば、食品を載せる載置部の高い部分をフランジ部で隠れない位置に配置することで、巻きずしの切り口など食品の全体を顧客に見せることができる。
【図面の簡単な説明】
【００１２】
【図１】本発明の実施形態の包装用容器を分解した斜視図である。
【図２】（Ａ）は本発明の実施形態の包装用容器を示す正面図であり、（Ｂ）は背面図であり、（Ｃ）は左側面図である。
【図３】（Ａ）は本発明の実施形態の包装用容器を示す平面図であり、（Ｂ）は底面図である。
【図４】（Ａ）は本発明の実施形態の容器本体を示す正面図であり、（Ｂ）は背面図であり、（Ｃ）は左側面図である。
【図５】（Ａ）は本発明の実施形態の容器本体を示す平面図であり、（Ｂ）は底面図である。
【図６】（Ａ）は図３（Ａ）のＡ−Ａ線に沿った包装用容器の断面図であり、（Ｂ）は図３（Ａ）のＢ−Ｂ線に沿った包装用容器の端面図であり、（Ｃ）は（Ａ）の一点鎖線の円で囲った部分の拡大図であり、（Ｄ）は図３（Ａ）のＣ−Ｃ線に沿った包装用容器の端面図である。
【図７】（Ａ）は本発明の実施形態の容器本体の前側の段差部周辺を示す断面図であり、（Ｂ）は容器本体の後側の段差部周辺の断面図である。
【図８】（Ａ）は本発明の実施形態の蓋体を示す正面図であり、（Ｂ）は背面図であり、（Ｃ）は左側面図であり、（Ｄ）は平面図であり、（Ｅ）は底面図である。
【図９】（Ａ）から（Ｃ）は本発明の実施形態の包装用容器の使用方法を説明するための図である。
【図１０】（Ａ）と（Ｂ）は本発明の実施形態の変形例を説明するための図である。
【図１１】従来の包装用容器を示す図である。
【発明を実施するための形態】
【００１３】
図１は包装用容器１の分解斜視図であり、図２と図３は蓋体３が容器本体２に取り付けられた状態の包装用容器１を示す図である。図２で（Ａ）が正面図であり、（Ｂ）が背面図であり、（Ｃ）が左側面図である。図３では（Ａ）が平面図であり、（Ｂ）が底面図である。右側面図は左側面図と対称に表れるため省略している。包装用容器１は食品を載せる容器本体２と、容器本体２に着脱自在に取り付けられて食品を覆う蓋体３と、から構成されている。
【００１４】
図４と図５は容器本体２を示す図である。図４では（Ａ）が容器本体２の正面図であり、（Ｂ）は容器本体２の背面図であり、（Ｃ）は容器本体２の左側面図である。図５では（Ａ）が容器本体２の平面図であり、（Ｂ）が容器本体２の底面図である。右側面図は左側面図と対称に表れるため省略している。容器本体２は、食品を載せる載置部１０と、載置部１０を高い位置に保持する脚部２０と、載置部１０と脚部２０のまわりに設けられた本体フランジ部３０と、を備えている。
【００１５】
載置部１０は、短辺として前側で左右の方向へ延びた端部（以下、前端部１１と呼ぶ。）と、後側で左右の方向へ延びた端部（以下、後端部１２と呼ぶ。）と、長辺として左側と右側でそれぞれ前後の方向へ延びた端部（以下、左端部１３、右端部１４と呼ぶ。）とで周縁が構成されている。載置部１０は前後の方向の寸法を左右の方向の寸法と比べて大きく設定されて縦長の矩形型の平坦な面として構成されている。
【００１６】
図６（Ａ）は図３（Ａ）のＡ−Ａ線に沿った包装用容器１の断面図であり、載置部１０は前端部１１から後方へ行くにつれて低くなる斜面として形成されている。
【００１７】
脚部２０は、図５（Ａ）に示すように、載置部１０の周縁のコーナー部１５に隣接して設けられている。脚部２０は、脚底部２１と、脚底部２１の周縁から立ち上がった脚側面部２２と、から構成されている。脚底部２１は、平面視で、載置部１０のコーナー部１５まわりに、円弧状の領域として形成されている。図６（Ｂ）は図３（Ａ）のＢ−Ｂ線に沿った包装用容器１の端面図であり、脚側面部２２は対向する部分との間隔が高くなるにつれて広くなるように形成されている。
【００１８】
さらに脚部２０は図６（Ｂ）に示すように下方へ突出していて、脚底部２１が載置部１０の後端部１２より低い位置に配置されている。脚側面部２２の一部が載置部１０の端部とつながっている。
【００１９】
本体フランジ部３０は、図１と図５とに示すように、前側の前フランジ部３１と、後側の後フランジ部３２と、左側の左フランジ部３３と、右側の右フランジ部３４とを備えていて、これらが平面視で矩形の枠型に連なっている。
【００２０】
前フランジ部３１は、載置部１０の前端部１１と前側の二つの脚部２０の前方で、左右の方向に延びている。図６（Ｃ）は図６（Ａ）の一点鎖線の円Ｄで囲った部分を拡大した図であり、前フランジ部３１は上方へ凸型の断面に形成されている。以下、このような形状を凸断面部３００と呼ぶ。前フランジ部３１はその全体に亘って断面を凸断面部３００で構成されている。
【００２１】
前フランジ部３１は、凸断面部３００の高さを左右へずれるにつれて低く或いは高くなるように形成されていて、図４（Ａ）に示すように左右の方向に沿った寸法の中間で上方へ膨らんだ凸部３１Ａを形成している。凸部３１Ａが前フランジ部３１の最も高い部分を構成している。後フランジ部３２も、前フランジ部３１と同様に横方向に延びていて、全体を凸断面部３００で構成されている。
【００２２】
左フランジ部３３は、載置部１０の左端部１３と左側の二つの脚部２０の左方で、前後の方向に延びている。図６（Ｄ）は図３（Ａ）のＣ−Ｃ線に沿った包装用容器１の端面図である。左フランジ部３３も、その全体に亘って断面を凸断面部３００で構成されていて、図４（Ｃ）に示すように前後の方向に沿った寸法の中間で上方へ膨らんだ凸部３３Ａを備えている。凸部３３Ａが左フランジ部３３の最も高い部分を構成している。右フランジ部３４は左フランジ部３３と対称に形成されている。
【００２３】
本体フランジ部３０は四つのコーナー部３５を備えている。各コーナー部３５が脚部２０に隣接して配置されて、脚側面部２２の一部が本体フランジ部３０につながっている。脚部２０より内側に配置された載置部１０は、段差状の部分を介して本体フランジ部３０につながっている。載置部１０と前フランジ部３１とのつながり部分が段差状に形成され、さらに載置部１０と後フランジ部３２とのつながり部分も段差状に構成されている。
【００２４】
図７（Ａ）は図３（Ａ）のＡ−Ａ線に沿った容器本体２の断面図であって、載置部１０の前端部１１周辺を拡大して表している。前側の段差部４０は、前端部１１から下方へ延びた下延長部４１と、下延長部４１の下端から前方へ延びていて前フランジ部３１につながる前延長部４２と、を備えている。下延長部４１と前延長部４２とが隅部４３を構成する。
【００２５】
この段差部４０が図５（Ａ）に示すように前側の二つの脚部２０の間に配置されて、載置部１０は段差部４０と二つの脚部２０とを介して前フランジ部３１につながっている。これにより載置部１０の前端部１１は、前フランジ部３１から例えば２０ｍｍから３０ｍｍ距離を置いて内側に設けられている。また、前端部１１と前フランジ部３１との間は下方へ凹んだ或いは低くなった領域として構成され、本実施形態では図７（Ａ）に示すように凸型断部３００の頂部３０１から入隅４３へ低くなる斜面として形成されている。
【００２６】
さらに、図７（Ａ）に示すように、載置部１０の前端部１１は、横方向に延びたその全体に亘って、前フランジ部３１より高い位置に配置されている。
【００２７】
図１に示すように、上方へ突き出た突出部５０が載置部１０の後端部１２に隣接しており、突出部５０によって後側の段差部５０Ａが構成されている。突出部５０は前方を向いた前壁部５１と、左方を向いた左壁部５２と、右側を向いた右壁部５３と、上方を向いた上壁部５４と、から構成されている。載置部１０が突出部５０の横まで延びて、左壁部５２と右壁部５３とつながっている。
【００２８】
図７（Ｂ）は図３（Ａ）のＡ−Ａ線に沿った容器本体２の断面図であって、突出部周辺を拡大して表している。後側の段差部５０Ａは、後端部１２から上方へ延びた前壁部５１と、前壁部５１の上端部から後方へ延びて後フランジ部３２につながる上壁部５４と、から構成されている。前壁部５１は、載置部１０に載せた食品に対向するよう、前方を向いた面として形成されている。前壁部５１と上壁部５４とが角部５５を構成し、この角部５５が左右の方向に筋状に延びている。
【００２９】
突出部５０が図５に示すように後側の左右の脚部２０の間に配置されて、載置部１０は段差部５０Ａと二つの脚部２０とを介して後フランジ部３２につながっている。これにより載置部１０の後端部１２は、後フランジ部３２から例えば１５ｍｍから３０ｍｍ距離を置いて内側に設けられている。後側の段差部５０Ａの前壁部５１も後フランジ部３２と距離を置いて内側に設けられている。
【００３０】
載置部１０の後端部１２と後フランジ部３２との間の領域は、図７（Ｂ）に示すように凸断面部３００の頂部３０１から角部５５へ低くなる斜面として形成されている。また、載置部１０は、図７（Ｂ）に示すように、前壁部５１に隣接する部分を水平の面１６として構成されている。なお、載置部１０は全体を同じ傾きの面として構成されてもよい。
【００３１】
図８は蓋体３を示す図である。（Ａ）が蓋体３の正面図であり、（Ｂ）が蓋体３の背面図であり、（Ｃ）が蓋体３の左側面図であり、（Ｄ）が蓋体３の平面図であり、（Ｅ）が蓋体３の底面図である。なお、右側面図は左側面図と対称に表れるため省略している。蓋体３は、容器本体２の載置部１０の上方に配置される天井部６０と、天井部６０の周縁から下方へ延びた側面部７０と、側面部７０の下端から外側へ延びた蓋フランジ部８０と、を備えている。
【００３２】
天井部６０は、図８（Ｄ）に示すように、平面視で外形を矩形型に形成されている。また、天井部６０は、図２（Ｃ）に示すように、蓋体３を容器本体２に取り付けた状態で、後方へ行くにつれて低くなる斜面として構成されている。
【００３３】
側面部７０は前面部７１と後面部７２と左面部７３と右面部７４とを備えており、これらが食品の四方を囲うように配置される。側面部７０の下端が口を構成し、口は天井部６０より大きく形成されている。
【００３４】
一側面としての前面部７１は、外形を台形型に形成されている。上縁部７１１と下縁部７１２とが左右の方向に延びていて、さらに上縁部７１１が下縁部７１２より後方にずれていると共に上方にずれて配置されて、前面部７１は斜面として構成されている。上縁部７１１が天井部６０とつながっており、上縁部７１１は容器本体２の載置部１０の前端部１１と平行に設けられ、さらに図６（Ａ）に示すように上下に並ぶように設けられている。高さ方向に沿った上縁部７１１と前端部１１との間隔Ｈ１は、食品の寸法よりも大きく、例えば後述する巻きずしの太さよりも大きな５０ｍｍから６０ｍｍに設定されている。
【００３５】
前面部７１の内、全高の５分の１より低い下部の領域が、容器本体２の傾斜した載置部１０を前方へ延長させた位置と重なるように配置されている。前フランジ部３１は、載置部１０を前方へ延長させた位置に重ならないように設けられ、図７（Ａ）に示すように、延長の位置を示す二点鎖線の仮想線Ｌから下方へずらして設けられている。
【００３６】
蓋体３を容器本体２に取り付けた状態では、図６（Ｃ）に示すように下縁部７１２が凸断面部３００の頂部３０１から載置部１０側へのびる斜面に隣接するように配置されて、前面部７１は前フランジ部３１から立ち上がるように設けられる。下縁部７１２は、載置部１０の前端部１１より低い位置に配置される。この下縁部７１２が蓋フランジ部８０とつながっている。
【００３７】
後面部７２は、前面部７１と同様に、左右の方向に延びた上縁部７２１と下縁部７２２とを備えて、外形を台形型に形成されている。上縁部７２１が下縁部７２２より前方にずれて配置されると共に上方にずれて配置されていて、後面部７２は斜面として構成されている。
【００３８】
上縁部７２１が天井部６０とつながっており、上縁部７２１は図６（Ａ）に示すように容器本体２の載置部１０の後端部１２、特に突出部５０の前壁部５１と上下に並ばないよう後方にずれて設けられている。高さ方向に沿った上縁部７２１と後端部１２との間隔Ｈ２は、上記の間隔Ｈ１と同様に食品の寸法より大きく設定し、さらに間隔Ｈ１と同じ（例えば５０ｍｍから６０ｍｍ）或いはＨ１と数ｍｍ異なる程度に設定する。
【００３９】
図６（Ｃ）に示すように下縁部７２２が凸断面部３００の頂部３０１から載置部１０側へのびる斜面に隣接して、後面部７２は後フランジ部３２から立ち上がるように設けられる。また、下縁部７２２は、載置部１０の後端部１２や突出部５０の前壁部５１と離れて配置されている。この下縁部７２２が蓋フランジ部８０とつながっている。
【００４０】
蓋フランジ部８０は、口のまわりの全体に亘って設けられており、内側に容器本体２の本体フランジ部３０が嵌るように構成されている。蓋フランジ部８０は、図６（Ｃ）に示すように、容器本体２の凸断面部３００を入れる受け部８１と、本体フランジ部３０が受け部８１から外れることを防止するよう、受け部８１の下端から内側へ突出したロック部８２と、を備えている。なお、ロック部８２は、例えば口のまわりで所定の間隔で設けられている。
【００４１】
包装用容器１では、容器本体２が載置部１０と脚部２０と本体フランジ部３０とが一体に樹脂材で構成されている。材料は限定されるものではないが、ポリオレフィン系樹脂またはポリエステル系樹脂を利用することができる。容器本体２を発泡体で構成する場合にはブタンなどの発泡剤を含んだ原反シート（ポリスチレンペーパー）を２次発泡させて、成型を行う。成型の際に、例えばポリスチレンペーパーを真空引きして容器状に賦形する。裁断装置がポリスチレンペーパーから成形品を分離する。その後、成型品の熱を冷ますと発泡体として容器本体２が完成する。容器本体２の各部の厚みは、特に限定されるものではないが２ｍｍ〜３．５ｍｍである。また、容器本体２は、発泡体の表面にフィルムを重ねて構成してもよい。
【００４２】
容器本体２は、ＰＥＴ等の樹脂製のシート材を成型で熱変形させて製造され、さらに全体を透明に構成してもよい。成型後の容器本体２の各部の厚みは、特に限定されるものではないが０．０５ｍｍ〜１．０ｍｍである。本実施形態の蓋体３は、このようなＰＥＴ等の樹脂材で透明に構成されている。
【００４３】
容器本体２を、図９（Ａ）に示すように、平坦なカウンター９０に並べる際、それぞれの脚部２０を着地させる。載置部１０は四つの脚部２０によって傾斜した姿勢を維持する。載置部１０には、例えば恵方巻などの巻きずし１００を載せることができる。なお、図９では包装用容器１を破線で表し、巻きずし１００を実線で表している。
【００４４】
巻きずし１００は、一方の切り口１１０が載置部１０の前端部１１から前方へずれて配置されるように、さらに他方の切り口１２０が突出部５０と距離を置くように載置部１０に載せることができる。この巻きずし１００に被さるように蓋体３が容器本体２に取り付けられている。なお、巻きずし１００は切り口１１０の位置を前端部１１に合わせて或いは前端部１１から後方へずらして載せてもよい。
【００４５】
包装用容器１では、傾斜した載置部１０の前端部１１が、前フランジ部３１と距離を置いて内側に設けられ、さらに外側に設けられた前フランジ部３１より高い位置に配置されているため、図９（Ｂ）に示すように、巻きずし１００の具材が現れる切り口１１０の全体を顧客に見易く包装することができる。包装用容器１によれば、巻きずし１００の商品性を顧客に十分にアピールすることができる。
【００４６】
巻きずし１００を包装用容器１に入れた商品を輸送する際、また顧客が商品を持ち帰る際などに振動などの力が包装用容器１に働くと、巻きずし１００の位置が変わるおそれがあるが、突出部５０が載置部１０の低い側に設けられているので、図９（Ｃ）に示すように、巻きずし１００が突出部５０の前壁部５１に当たってその移動を規制できる。包装用容器１によれば、巻きずし１００が動いて蓋体３の後面部７２にくっついたり、後面部７２に当たって蓋体３が汚れたりすることを防止して、見栄えの良い商品性を確保することができる。
【００４７】
容器本体２と蓋体３とこれらで構成される包装用容器１はそれぞれ従来の包装用容器と比べてデザイン的にも良好である。また、包装用容器１は、図９（Ａ）に示すようにカウンター９０に置いたときに、四つの脚部２０によって載置部１０を平坦な面の上方に保持することができる。商品をカウンター９０に見栄え良く並べることができる。
【００４８】
蓋体３の天井部６０が載置部１０の上方で、載置部１０と同じように傾斜しているため、巻きずし１００を入れて用いる際に余剰の空間を小さくできる。容量を小さくすることで、材料の費用を低減することができる。また、容器本体２を、蓋体３と異なる材料として例えばＰＳＰシートなどの発泡体で構成すると、包装用容器１全体のコストを低減することができる。
【００４９】
（変形例）
本発明の実施形態の変形例の包装用容器は、上記の包装用容器１と比べて、載置部１０の前端部１１と前フランジ部３１の位置が異なる。載置部１０の高さを前フランジ部３１と合せて、図７（Ａ）に示す高さのギャップΔＨをゼロに設定したり、図１０（Ａ）に示すように前端部１１を前フランジ部３１の頂部３０１より例えば数ｍｍ低くして配置してもよい。なお、変形例も、図６（Ａ）や図７（Ａ）に示す前端部１１と前フランジ部３１とが距離を置いて横に並ぶように設けられる配置で、さらに前端部１１から載置部１０の傾きで延長させた位置から下方へずれて前フランジ部３１を設けている。
【００５０】
さらに、変形例として、図１０（Ｂ）に示すように、前フランジ部３１の凸部３１Ａを前端部１１より高く形成し、凸部３１Ａの横の部分を前端部１１より低くするように、前端部１１は少なくとも一部が前フランジ部３１より高い位置に配置されるよう構成されてもよい。
【００５１】
このような構成によっても、載置部１０の前端部１１が前フランジ部３１と同じように高い位置に保持され、さらに前フランジ部３１から距離を置いた内側であって蓋体３の前面部７１を通して見易い位置に配置される。
【００５２】
本発明は上記の説明に限定されるものではない。例えば、脚部の位置や高さなどを変えて構成してもよい。ロールケーキなどの食材を包装する際に使用することもできる。
【符号の説明】
【００５３】
１  包装用容器
２  容器本体
３  蓋体
１０  載置部
１１  前端部
１２  後端部
１３  左端部
１４  右端部
１５，３５  コーナー部
２０  脚部
２１  脚底部
２２  脚側面部
３０  フランジ部
３１  前フランジ部
３２  後フランジ部
３３  左フランジ部
３４  右フランジ部
３１Ａ，３３Ａ  凸部
４０，５０Ａ  段差部
４１  下延長部
４２  前延長部
４３  隅部
５０  突出部
５１  前壁部
５２  左壁部
５３  右壁部
５４  上壁部
５５  角部
６０  天井部
７０  側面部
７１  前面部
７２  後面部
７３  左面部
７４  右面部
８０  蓋フランジ部
８１  受け部
８２  ロック部
９０  カウンター
１００  巻きずし
３００  凸断面部
７１１，７２１  上縁部
７１２，７２２  下縁部
【図１】
0006671143.tif 000002
【図２】
0006671143.tif 000003
【図３】
0006671143.tif 000004
【図４】
0006671143.tif 000005
【図５】
0006671143.tif 000006
【図６】
0006671143.tif 000007
【図７】
0006671143.tif 000008
【図８】
0006671143.tif 000009
【図９】
0006671143.tif 000010
【図１０】
0006671143.tif 000011
【図１１】
0006671143.tif 000012